(57)【要約】 【課題】本発明は焼却中に投入扉がロックされ、人手では勝手に開かないようにすると共に、燃焼が完了した時点でロックを解除し、完全燃焼が行われて有害なガスの排出を防止するための焼却炉用投入扉の電磁ロック方法を提供することを目的とする。【解決手段】焼却炉本体６内部に所定量の焼却物を投入した後、投入扉１を従来のロックハンドル２や上下の水平ハンドル３で閉めてロックさせ、予め設定した焼却時間にタイマーをセットし、次に燃焼スイッチを作動させてバーナーが点火されると共に電磁ロック錠４を作動させて更にロックし、且つ炉内の温度が８００℃〜８５０℃でバーナーの点火制御し、タイマーが切れた後、設定した時間で送風・排風を行い、炉内の温度が６０℃以下に達した時に、投入扉１の電磁ロック錠４が解除される焼却炉用投入扉の電磁ロック方法とする。【選択図】図１
2005351585.tif 000002
【特許請求の範囲】
【請求項１】
焼却炉本体(６)内部に所定量の焼却物を投入した後、投入扉（１）を従来のロックハンドル（２）や上下の水平ハンドル（３）で閉めてロックさせ、予め設定した焼却時間にタイマーをセットし、次に燃焼スイッチを作動させてバーナーが点火されると共に電磁ロック錠（４）を作動させて更にロックし、且つ炉内の温度が８００℃〜８５０℃でバーナーの点火制御し、タイマーが切れた後、設定した時間で送風・排風を行い、炉内の温度が６０℃以下に達した時に、前記投入扉（１）の前記電磁ロック錠（４）が解除されることを特徴とする焼却炉用投入扉の電磁ロック方法。
【請求項２】
前記電磁ロック錠（４）として、前記焼却炉本体(６)側に固定したソレノイド(41)と、該ソレノイド(41)によってスライドする係止軸(42)と、前記投入扉（１）側に固定すると共に前記係止軸(42)が挿入可能な穴を有したロック板（43）とから構成したものが用いられた請求項１記載の焼却炉用投入扉の電磁ロック方法。
【発明の詳細な説明】
【技術分野】
【０００１】
本発明は焼却炉の投入扉が焼却中に勝手に開かないための焼却炉用投入扉の電磁ロック方法に関する。
【背景技術】
【０００２】
一般に炉内に所定量の焼却物を投入した後、バーナーが点火されて焼却物を燃焼させるが、焼却中に投入扉を開けると、炉内の温度が下がり、完全燃焼ができなくなるので、有害なガスが発生し、且つ投入扉の入口から有害なガスが外部へ排出されていた。このため、焼却中は投入扉を開けないように心掛けているが、担当者以外の者が勝手に投入扉を開けて、焼却物を投入する場合も多くあった。しかしながら、焼却中に人手では投入扉が開かない焼却炉はなく、焼却炉の作業担当者に於いて、焼却炉の投入扉が強制的に焼却中は開かない焼却炉用投入扉のロック方法の開発が要望されていた。尚、従来、焼却炉で燃焼物を焼却中に投入扉が、燃焼物のはじける力で自然に開いてしまうことを防止するために、本発明者が実開平６−６５７２０号「焼却炉用ロックハンドルのロック構造」を提案したところである。
【特許文献１】実開平６−６５７２０号公報
【発明の開示】
【発明が解決しようとする課題】
【０００３】
本発明は焼却中に投入扉が人手で勝手に開かないようにロックされると共に、燃焼が完了し且つ炉内の温度が下がった時点でロックを解除し、完全燃焼が行われて有害なガスの排出を防止するための焼却炉用投入扉の電磁ロック方法を提供することを目的とする。
【課題を解決するための手段】
【０００４】
本発明は上記要望に応えるために成されたものであり、つまり、焼却炉本体内部に所定量の焼却物を投入した後、投入扉を従来のロックハンドルや上下の水平ハンドルで閉めてロックさせ、予め設定した焼却時間にタイマーをセットし、次に燃焼スイッチを作動させてバーナーが点火されると共に電磁ロック錠を作動させて更にロックし、且つ炉内の温度が８００℃〜８５０℃でバーナーの点火制御し、タイマーが切れた後、設定した時間で送風・排風を行い、炉内の温度が６０℃以下に達した時に、投入扉の電磁ロック錠を解除させる焼却炉用投入扉の電磁ロック方法とする。また焼却炉本体側に固定したソレノイドと、該ソレノイドによってスライドする係止軸と、投入扉側に固定すると共に係止軸が挿入可能な穴を有したロック板とから構成した電磁ロック錠を用いると良い。
【発明の効果】
【０００５】
請求項１のように焼却炉本体（６）内部に所定量の焼却物を投入した後、投入扉（１）を従来のロックハンドル（２）や上下の水平ハンドル（３）で閉めてロックさせ、予め設定した焼却時間にタイマーをセットし、次に燃焼スイッチを作動させてバーナーが点火されると共に電磁ロック錠を作動させて更にロックし、且つ炉内の温度が８００℃〜８５０℃でバーナーの点火制御し、タイマーが切れた後、設定した時間で送風・排風を行い、炉内の温度が６０℃以下に達した時に、投入扉（１）の電磁ロック錠（４）を解除させる方法とすることにより、投入扉（１）が焼却中は人手では開くことが出来なくなるため、従来の如き炉内の温度が低下して不完全燃焼する恐れがなくなると共に有害なガスの発生及び排出の心配が殆どない方法となる。
【０００６】
請求項２のようにソレノイド(41)を作動し、ロック板（43）の穴に係止軸(42)が挿入可能な構成の電磁ロック錠（４）を用いることにより、ロック作動が確実で故障が少なく、且つ取付けが簡単で安価に電磁ロックが行えるものとなる。また既存の焼却炉に対して、電磁ロック錠（４）を簡単に取付けて使用することが可能となる。
【発明を実施するための最良の形態】
【０００７】
図１は本発明方法で使用される焼却炉用投入扉の電磁ロック機能の要部実施形態を示す図であり、この図中の番号について説明する。（１）は焼却炉用の投入扉である。尚、前記投入扉（１）としては一般的な焼却炉用のものを用いれば良い。（２）はロックハンドルであり、該ロックハンドル（２）は少なくとも、回動可能なボス部（21）と、その上部に突出させた一対の長尺なレバー（22）と、前記ボス部（21）の外周に固着させ且つ水平に配置したロックピン（23）と、該ロックピン（23）を掛止させるためのもので且つ後述する焼却炉本体（６）に固着したフック(24)とから成す。このロックハンドル（２）は内部に図示しないスプリングが入れられ、ロックピン（23）がフック(24)と掛止された際に、スプリングの弾性力で掛止状態が強化されるロック構造のものを用いると良く、本発明者が実開平６−６５７２０号で提案したものを用いるのが好ましい。（３）はロックハンドル（２）の上下に取付けた一対の水平ハンドルであり、該水平ハンドル（３）には少なくとも、前記焼却炉本体（６）に回動可能に取付けた円形のハンドル本体(31)と、前記投入扉（１）側に取付けた押え片(32)とがある。尚、前記水平ハンドル（３）は一般的な焼却炉で使用されているものを用いれば良い。
【０００８】
（４）は図示しないタイマーによって作動する電磁ロック錠であり、該電磁ロック錠（４）には、前記焼却炉本体(６)側に固定したソレノイド(41)と、該ソレノイド(41)によってスライドする丸棒状の係止軸(42)と、前記投入扉（１）側に固定すると共に前記係止軸(42)が挿入可能な穴を有したロック板（43）と、前記ソレノイド(41)を支持し且つ前記焼却炉本体(６)側に固定した支持板（44）とがある。尚、前記ソレノイド(41)の作動は温度設定によって行い、入・切の温度設定は1つで行えるものを用いるのが好ましい。（５）は投入扉（１）の略中央に設けた覗き窓である。（６）は焼却炉本体であり、該焼却炉本体（６）には図示しないが、温度管理機能，焼却時間設定機能，送風・排風時間設定機能，前記ソレノイド(41)を作動させるための機能，制御盤，その他の予備装置等が具備されている。又、前記焼却炉は廃棄物処理法施行令に適したものが使用される。
【０００９】
次に本発明方法の実施形態について説明する。先ず始めに投入扉（１）を開けて焼却炉本体（６）の内部へ所定量の焼却物を投入する。そして、投入扉（１）を閉めると共にロックハンドル（２）と上下の水平ハンドル（３）によって、投入扉（１）をロックする。次に焼却時間の設定を行う。この焼却時間は、投入した量の焼却物が完全焼却できる時間の設定であり、前記焼却時間の設定は、予め焼却炉の性能試験の際に、焼却物の量やその主な材料などを考慮し、且つ製造メーカーの実験データーに基づき表などに作成される。この表などを見て作業者が図示しないタイマーを操作してセットすれば良いが、実際は焼却物の材料が予め決められている場合が多いため、最大投入量の焼却時間にセットしておけば、焼却毎のタイマーセットは不要である。
【００１０】
そして燃焼温度の決定を図示しないダイヤルを回してセットする。この時、８５０℃に設定すると、炉内の温度は８００℃以上で、且つ８５０℃以下で燃焼温度の管理が出来る。尚、廃棄物処理法施行令によって、炉内の温度が８００℃以上の状態で焼却することが規制化されている。又、この時の温度センサーの取付け位置としては、炉内の排気ガス出口付近に設け、その温度センサーからのデーターを基に制御盤でバーナーを制御するのである。この温度制御方法は一般的であるので、これ以上の詳細な説明は省略する。尚、前記電磁ロック錠（４）は、炉内温度が６０℃で作動するように予め製造メーカーでセットしておくと良い。つまり、前記電磁ロック錠（４）は、６０℃に上昇した時に作動し、６０℃に下降した時にロック解除するように設定されるのである。これを設定することにより、焼却運転中の炉内と外気を接触させることがなくなると共に焼却終了まで人手では投入扉（１）を開けることが出来なくなる。又、前記設定を６０℃以上にすると、燃え残しや排出ガスが残存する恐れがあり、一方、６０℃以下にすると、炉の冷却時間が長くなり、無駄な時間が掛り、焼却作業の効率低下となる。更に送風・排風のタイマーの設定は予め自動設定しておく。これは焼却運転中に完全燃焼を促し、且つ焼却終了後の不完全燃焼の防止と共に炉内の温度を下げる役目を果たす。以上でセットが終了する。
【００１１】
全ての設定を終了後、図示しない燃焼スイッチを入れ、バーナーが点火される。すると、炉内の温度は上昇し、６０℃に達すると電磁ロック錠（４）が作動して投入扉（１）を更にロックする。更に６０℃よりも上昇して燃焼を開始する。焼却中は炉内の温度が８００℃〜８５０℃に保たれて燃焼を行う。焼却時間のタイマーが切れると、ブロアーが作動して送風・排風を行う。尚、前記ブロアーは焼却中にも作動され、その作動は制御盤の指令によってコントロールされている。その後、炉内の温度が６０℃以下に達すると、電磁ロック錠（４）が解除され、投入扉（１）を人手で開くことが可能となるのである。このように本発明方法を用いれば、焼却中に投入扉（１）が強制的に開かなくなるため、焼却物は完全燃焼され、且つ焼却終了後の炉内の温度が下がってから投入扉（１）を開くため、やけどの恐れや有害なガスの発生の恐れもない安全な方法となるのである。
【産業上の利用可能性】
【００１２】
本発明の電磁ロック方法は焼却炉だけではなく、他の作業や製造用の電磁ロック方法としても応用が可能なものである。
【図面の簡単な説明】
【００１３】
【図１】本発明方法で使用される焼却炉用投入扉の電磁ロック機能の要部実施形態を示す説明図である。
【符号の説明】
【００１４】
１  投入扉
２  ロックハンドル
３  水平ハンドル
４  電磁ロック錠
41  ソレノイド
42  係止軸
43  ロック板
６  焼却炉本体
【図１】
2005351585.tif 000003